(57)【要約】【課題】多数の製品部を有するツリー状ワックス模型を製作することができる金型を提供する。【解決手段】上型と、下型と、中型とを備え、上型の下型に対する開閉に伴って中型が進退し、上型が閉じて下型と当接したときに双方の間に中型が挟持された状態となり、この状態で内部に、幹状部キャビティーが形成されると共に上下２段にランナー部キャビティー及び製品部キャビティーが形成されるようにした。【選択図】　　　　　図３
2004009062.tif 000002
【特許請求の範囲】
【請求項１】
幹状部から延設された各ランナー部の先端に製品部が形成されたツリー状ワックス模型を製作するのに用いる金型であって、上型と、下型と、中型とを備え、該上型の該下型に対する開閉に伴って該中型が進退し、該上型が閉じて該下型と当接したときに双方の間に該中型が挟持された状態となり、この状態で内部に、幹状部キャビティーが形成されると共に上下２段にランナー部キャビティー及び製品部キャビティーが形成されるようにして成ることを特徴とするツリー状ワックス模型製作用金型。
【請求項２】
二つの中型を備え、上型の下型に対する開閉と共に該二つの中型が該下型の上面に沿って相対方向へ進退するようにした請求項１記載のツリー状ワックス模型製作用金型。
【請求項３】
上型の下面両側にガイド棒が外側へ傾斜して突設されており、中型に該ガイド棒に対応する誘導孔が穿設された請求項２記載のツリー状ワックス模型製作用金型。
【請求項４】
下型の上面両側にガイド部材が設けられており、中型が該ガイド部材で案内されるようにした請求項３記載のツリー状ワックス模型製作用金型。
【請求項５】
上段のランナー部キャビティー及び製品部キャビティーと下段のランナー部キャビティー及び製品部キャビティーとが側面から見て千鳥状に形成されるようにした請求項４記載のツリー状ワックス模型製作用金型。
【発明の詳細な説明】
【０００１】
【発明の属する技術分野】
本発明はツリー状ワックス模型製作用金型に関する。ロストワックス鋳造法では、幹状部と、幹状部から延設された複数のランナー部と、各ランナー部の先端に形成された製品部とを有するツリー状ワックス模型を用い、かかるツリー状ワックス模型から製作したシェル状鋳型へ金属溶湯を鋳込んで、製品部に相当する鋳造品を製造する。近年では、軸部とその先端に一体形成された羽根部とを有する片持ち羽根のように、小型且つ肉薄のものをロストワックス鋳造法で製造することが試みられている。例えば、自動車のターボチャージャーには、エンジン部へ導入する排気ガス量を制御するため、片持ち羽根がノズルベーンとして使用されているが、かかるノズルベーンのようなものをロストワックス鋳造法で製造することが試みられている。かかる片持ち羽根のようなものをロストワックス鋳造法で製造する場合、多数の製品部を有するツリー状ワックス模型を用いるのが効率的であることはいうまでもない。本発明は多数の製品部を有するツリー状ワックス模型を製作するための金型に関する。
【０００２】
【従来の技術】
従来、ツリー状ワックス模型製作用金型として、上型と、下型とを備え、該上型は該下型に対し開閉可能となっていて、該上型が閉じて該下型と当接したときに、双方の間に幹状部キャビティー、ランナー部キャビティー及び製品部キャビティーが形成されるようにしたものが使用されている。上型と下型とを備える従来の金型では、幹状部キャビティーの左右両側に複数のランナー部キャビティーが形成され、各ランナー部キャビティーの先端に製品部キャビティーが形成されるようになっている。かかる金型を用いて多数の製品部を有するツリー状ワックス模型を製作する場合、製品部キャビティーができるだけ密集して形成されるようにするが、少なくとも隣接する製品部キャビティー同士が重ならないようにする必要があり、しかも製作したツリー状ワックス模型から更に実用に耐え得るシェル状鋳型を作製し、作製したシェル状鋳型での湯廻を確保する必要があるため、そこには一定の限界がある。従来の金型では、実際のところ、多数の製品部を有するツリー状ワックス模型を製作するのが難しいのである。
【０００３】
【発明が解決しようとする課題】
本発明が解決しようとする課題は多数の製品部を有するツリー状ワックス模型を製作することができる金型を提供する処にある。
【０００４】
【課題を解決するための手段】
前記の課題を解決する本発明は、幹状部から延設された各ランナー部の先端に製品部が形成されたツリー状ワックス模型を製作するのに用いる金型であって、上型と、下型と、中型とを備え、該上型の該下型に対する開閉に伴って該中型が進退し、該上型が閉じて該下型と当接したときに双方の間に該中型が挟持された状態となり、この状態で内部に、幹状部キャビティーが形成されると共に上下２段にランナー部キャビティー及び製品部キャビティーが形成されるようにして成ることを特徴とするツリー状ワックス模型製作用金型に係る。
【０００５】
本発明に係るツリー状ワックス模型製作用金型は幹状部から延設された各ランナー部の先端に製品部が形成されたツリー状ワックス模型を製作するのに用いる金型である。この金型は、上型と、下型と、中型とを備えている。上型は下型に対し開閉可能となっており、中型は上型の下型に対する開閉に伴って進退し、上型が閉じて下型に当接したときに双方の間に中型が挟持された状態となるようになっている。そしてかかる状態で内部に、幹状部キャビティーが形成されると共に上下２段にランナー部キャビティー及び製品部キャビティーが形成されるようになっている。
【０００６】
中型の数は任意であるが、金型全体の構成上、二つとするのが好ましく、これら二つの中型が上型の下型に対する開閉に伴い下型の上面に沿って相対方向へ進退するようにするのが好ましい。例えば、上型と、中型と、左右両側の中型とを備え、上型が下型に対し昇降することにより開閉する場合には、上型の下降に伴って下型の上面に摺接する左側の中型が左側（外側）から右側（内側）へ前進すると同時に下型の上面に摺接する右側の中型が右側（外側）から左側（内側）へ前進し、また上型の上昇に伴って下型の上面に摺接する左側の中型が右側（内側）から左側（外側）へ後退すると同時に下型の上面に摺接する右側の中型が左側（内側）から右側（外側）へ後退するようにする。
【０００７】
上型の下型に対する開閉手段及びこれに伴う中型の進退手段は任意であるが、前記のように上型と、中型と、左右両側の中型とを備える場合、中型の進退手段としては、上型の下面の左右両側にガイド棒を外側へ傾斜して突設し、左右両側の中型にかかるガイド棒に対応する誘導孔を穿設するのが好ましい。上型の下面の左側のガイド棒を左側（外側）へ傾斜して突設すると共に左側の中型にこのガイド棒を摺嵌する左側（外側）へ傾斜した誘導孔を穿設し、また上型の下面の右側のガイド棒を右側（外側）へ傾斜して突設すると共に右側の中型にこのガイド棒を摺嵌する右側（外側）へ傾斜した誘導孔を穿設するのである。この場合、上型の下型に対する下降に伴って、これらのガイド棒により、左側の中型は左側（外側）から右側（内側）へ前進すると同時に右側の中型は右側（外側）から左側（内側）へ前進し、また上型の下型に対する上昇に伴って、これらのガイド棒により、左側の中型は右側（内側）から左側（外側）へ後退すると同時に右側の中型は左側（内側）から右側（外側）へ後退する。
【０００８】
前記のように上型と、下型と、左右両側の中型とを備える場合、下型に対する左右両側の中型の位置は上型の位置との関係でガイド棒と誘導孔により規制できるが、左右両側の中型が下型の上面に沿って確実に摺動するようにするため、下型の上面の左右両側にガイド部材を設け、左右両側の中型がこれらのガイド部材で案内されるようにするのが好ましい。
【０００９】
前記のように上型と、下型と、左右両側の中型とを備え、上型の下型に対する昇降に伴って左右両側の中型が進退する場合、上型がその下降により閉じて下型と当接したときに双方の間に前進した左右両側の中型が挟持された状態となり、これらによって内部に、幹状部キャビティーが形成されると共に上下２段にランナー部キャビティー及び製品部キャビティーが形成される。平面から見て、形成される上段のランナー部キャビティーと下段のランナー部キャビティーとが完全に重なっていてもよく、また形成される上段の製品部キャビティーと下段の製品部キャビティーとが完全に重なっていてもよいが、金型全体の構成上、とりわけ製作したツリー状ワックス模型から更に実用に耐え得るシェル状鋳型を作製する作業の便宜上、側面から見て、形成される上段のランナー部キャビティーと下段のランナー部キャビティーとが千鳥状となり、また形成される上段の製品部キャビティーと下段の製品部キャビティーとが千鳥状になるようにするのが好ましい。
【００１０】
【発明の実施の形態】
図１は本発明に係るツリー状ワックス模型製作用金型を上型を除いた状態で示す平面図、図２は図１と同じツリー状ワックス模型製作用金型を示す幹状部キャビティーに沿う方向の縦断面図、図３は図１と同じツリー状ワックス模型製作用金型を示すランナー部キャビティーに沿う方向（幹状部キャビティーと直交する方向）の縦断面図である。図示したツリー状ワックス模型製作用金型は、製品部として片持ち羽根のワックス模型を製作するためのもので、上型と、下型と、左右両側の中型とを備えており、図１〜図３はいずれも上型が下降して閉じた状態を示している。
【００１１】
上型１１の下面の左右両側には片側で２本づつ合計４本のガイド棒１２，１３が外側へ傾斜して突設されており、左右両側の中型３１，４１にこれらのガイド棒１２，１３を摺嵌する片側で２本づつ合計４本の誘導孔３２，４２が穿設されている。上型１１の下面の左側に合計２本のガイド棒１２が左側（外側）へ傾斜して突設されており、左側の中型にこれらのガイド棒１２を摺嵌する左側（外側）へ傾斜した合計２本の誘導孔３２が穿設されていて、同様に上型１１の下面の右側に合計２本のガイド棒１３が右側（外側）へ傾斜して突設されており、右側の中型４１にこれらのガイド棒１３を摺嵌する右側（外側）へ傾斜した合計２本の誘導孔４２が穿設されているのである。この場合、上型１１の下型２１に対する下降に伴って、これらのガイド棒１２，１３により、左側の中型３１は左側（外側）から右側（内側）へ前進すると同時に右側の中型４１は右側（外側）から左側（内側）へ前進し、また上型１１の下型２１に対する上昇に伴って、これらのガイド棒１２，１３により、左側の中型３１は右側（内側）から左側（外側）へ後退すると同時に右側の中型４１は左側（内側）から右側（外側）へ後退する。
【００１２】
下型２１の上面の左右両側には片側で２本づつ合計４本のガイドレール２２，２３が設けられており、下型２１の上面に摺動可能に載置された左右両側の中型３１，４１がこれらのガイドレール２２，２３で案内されるようになっている。また下型２１の左右両側には左右両側の中型３１，４１を臨んでこれらの復帰用のコイルバネ２６，２７が取付けられている。
【００１３】
図示したツリー状ワックス模型製作用金型の内部には、上型１１が下降して閉じた状態にて、導入部キャビティー５１に接続された１本の幹状部キャビティー６１と、幹状部キャビティー６１から左右両側に上下２段で延設された各側各段で５本づつ合計２０本のランナー部キャビティー６２〜６５と、各ランナー部キャビティー６２〜６５の先端に接続された製品部キャビティー６６〜６９が形成されている。幹状部キャビティー６１の左側にはその上段にランナー部キャビティー６２が所定間隔で合計５本形成されており、各ランナー部キャビティー６２の先端に製品部キャビティー６６が合計５個形成されている。幹状部キャビティー６１の左側にはその下段に、平面から見てランナー部キャビティー６２と交互になる位置にて、ランナー部キャビティー６３が所定間隔で合計５本形成されており、各ランナー部キャビティー６３の先端に製品部キャビティー６７が合計５個形成されている。同様に、幹状部キャビティー６１の右側にはその下段に、平面から見てランナー部キャビティー６２と相対する位置にて、ランナー部キャビティー６４が所定間隔で合計５本形成されており、各ランナー部キャビティー６４の先端に製品部キャビティー６８が合計５個形成されている。幹状部キャビティー６１の右側にはその上段に、平面から見てランナー部キャビティー６３と相対する位置にて、ランナー部キャビティー６５が所定間隔で合計５本形成されており、各ランナー部キャビティー６５の先端に製品部キャビティー６９が合計５個形成されている。幹状部キャビティー６１の左右両側に上下２段で形成されたランナー部キャビティー６２〜６５及び製品部キャビティー６６〜６９は側面から見て千鳥状になっており、平面から見て、ランナー部キャビティー６２〜６５は重なっておらず、製品部キャビティー６６〜６９の一部、すなわち製品部として製作する片持ち羽根のワックス模型のうちで羽根部に相当するキャビティーの一部のみが重なっていて、かかる重なる部分を左右両側の中型３１，４１が補っている。
【００１４】
図示したツリー状ワックス模型製作用金型では、上型１１を下降させると、これに伴い左右両側の中型３１，４１が内側へ前進し、上型１１が下型２１に当接して閉じたときに、上型１１と下型２１との間に左右両側の中型３１，４１が挟持された状態となる。この状態で、溶融ワックスを、導入部キャビティー５１から幹状部キャビティー６１、左右両側の上下２段のランナー部キャビティー６２〜６５及び製品部キャビティー６６〜６９へ導入し、放冷した後、上型１１を上昇させ、これに伴い左右両側の中型３１，４１を外側へ後退させる。下段２１には幹状部キャビティー６１及び製品部キャビティー６６〜６９等を臨んで複数のピン２４が貫挿されており、これらのピン２４の基端は基枠２５に取付けられているので、基枠２５を上昇させることにより、製作したツリー状ワックス模型を下型２１から脱型する。
【００１５】
【発明の効果】
既に明らかなように、以上説明した本発明には、多数の製品部を有するツリー状ワックス模型を製作することができるという効果がある。
【図面の簡単な説明】
【図１】本発明に係るツリー状ワックス模型製作用金型を上型を除いた状態で例示する平面図。
【図２】図１と同じツリー状ワックス模型製作用金型を示す幹状部キャビティーに沿う方向の縦断面図。
【図３】図１と同じツリー状ワックス模型製作用金型を示すランナー部キャビティーに沿う方向（幹状部キャビティーと直交する方向）の縦断面図。
【符号の説明】
１１・・上型、１２，１３・・ガイド棒、２１・・下型、２２，２３・・ガイドレール、２４・・ピン、３１，４１・・中型、３２，４２・・誘導孔、５１・・導入部キャビティー、６１・・幹状部キャビティー、６２〜６５・・ランナー部キャビティー、６６〜６９・・製品部キャビティー
【図１】
2004009062.tif 000003
【図２】
2004009062.tif 000004
【図３】
2004009062.tif 000005